(57)【要約】【課題】    片手で通話などできるとともに頭部又は顔面に保持することができる携帯端末器を提供する。【解決手段】  携帯端末器（１００）は、ほぼ矩形状に伸びる第１面と第２面とを有する本体（１０）と、本体の第１面の両端領域に配置された第１表示部及び第２表示部（１１）と、第１表示部と第２表示部との間に本体の外周に形成された鼻当て部（１２）と、第１表示部及び第２表示部の表面の第１位置とこの表面から所定距離離れた第２位置との間を移動する光学部（１５）と、を備える。【選択図】  図３
2009232133.tif 000002
【特許請求の範囲】
【請求項１】
第１表示部及び第２表示部が互いに隣り合って配置された第１面を有する本体と、
前記第１表示部と前記第２表示部との間に前記本体の外周に形成された鼻当て部と、
前記第１表示部及び第２表示部の表面の第１位置とこの表面から所定距離離れた第２位置との間を移動する光学部と、
を備えることを特徴とする携帯端末器。
【請求項２】
前記本体にはテンプルが設けられていることを特徴とする請求項１に記載の携帯端末器。
【請求項３】
前記テンプルは、前記本体に収納可能であることを特徴とする請求項２に記載の携帯端末器。
【請求項４】
前記テンプルは、前記本体に取り外し可能に取り付けられていることを特徴とする請求項２に記載の携帯端末器。
【請求項５】
前記本体には、前記第１位置と第２位置との間を移動可能な移動フレームが設けられており、前記光学部は、前記移動フレームに取り付けられていることを特徴とする請求項１から請求項４のいずれか一項に記載の携帯端末器。
【請求項６】
前記移動フレームに取り付けられた鼻パッドを備えることを特徴とする請求項５に記載の携帯端末器。
【請求項７】
前記光学部の表面は、タッチパネルが形成されていることを特徴とする請求項１から請求項６のいずれか一項に記載の携帯端末器。
【請求項８】
前記テンプルは、前記本体内部に収納され又は前記本体の前記第１面と反対側に位置する第２面に嵌め込まれて収納されることを特徴とする請求項３に記載の携帯端末器。
【請求項９】
前記第１表示部と第２表示部とが向かい合って折り畳むためのヒンジを備えることを特徴とする請求項１から請求項８のいずれか一項に記載の携帯端末器。
【請求項１０】
被検体を撮影するカメラを備え、
前記第１表示部又は第２表示部の少なくとも一方は、前記カメラで撮影した被検体を表示することを特徴とする請求項１から請求項９のいずれか一項に携帯端末器。
【発明の詳細な説明】
【技術分野】
【０００１】
本発明は、頭部又は顔面に保持することのできる携帯電話などの携帯端末器に関する。
【背景技術】
【０００２】
携帯電話機やＰＨＳ等の携帯端末器が広く普及している。携帯端末器は、基地局と無線で送受信を行うアンテナと、携帯端末器の操作を行う操作部と、本体の前面側に種々の情報を表示するための表示ディスプレイ等を備えたものが一般的に使用されている。近年の携帯端末器はテレビ放送を受信して表示ディスプレイに表示したり、コンピュータから又は通信によりダウンロードした動画ファイルを表示ディスプレイに表示したりできるようになってきている。このようにテレビ放送又は動画を携帯端末器で見る際にはできるだけ大きな表示ディスプレイで見たい要望が大きい。また、近年、携帯端末器により、インターネット等で情報を得ることも可能であり、その際にはインターネット等で得た画像等が表示ディスプレイに表示されるが、このような画像は細部が更に細かく小さいため見難いものとなっている。このように、従来の携帯端末器は、表示ディスプレイに表示された内容をより大きく表示させたり、正確に読み取ったりすることが困難であった。
【０００３】
一方、頭部装着型表示装置（ＨＭＤ：Head
Mounted Display）は外部のコンピュータ及びＤＶＤプレーヤなどの映像を入力することで、装着者が大画面で観ているがごとく映し出す装置として用いられてきた。頭部装着型表示装置は頭部装着型にすることで、表示ディスプレイが小さくても眼の間近で表示するために、装着者は大画面で映像を観ている感覚になる。そのためテレビ放送、動画又はインターネット等で得た画像を明りょうに見ることができる。頭部装着型表示装置は眼と映像表示部との距離が短いため、眼の網膜と映像表示部との間にレンズ、ミラー、及びプリズムなどを設置することで映像表示部に焦点を合わせていた。また左右のそれぞれの眼に対して異なる映像を映し出すことで、視差を利用した立体感を持った画像を表示させることもしていた。頭部装着型表示装置は立体感をもたせることで、装着者に仮想空間（バーチャル）を提供することができていた。
【０００４】
特許文献１は、広い画角で映像を表示させるためにカーブして光を集光するような大きな液晶部を装備し、少ない部品点数の頭部装着型表示装置を提案している。
【０００５】
また、特許文献２に開示されるステレオカメラ装置は、立体視には平行に表示した撮影像を装着者が交差法及び平行法などの観察方法を取ることで、１つの表示ディスプレイでいわば擬似的に見ることができる技術を開示する。交差法、平行法などのステレオ観察方法は、装着者が訓練することで見ることのできる特殊な観察方法であった。
【特許文献１】特開２００６−１８９６４３号公報
【特許文献２】特開２００７−２７８９９３号公報
【発明の開示】
【発明が解決しようとする課題】
【０００６】
このように、装着者がより大画面で映像を観ている感覚にするためには、より広い画角が必要とされ、より大きな映像表示部が求められている。さらに、頭部装着型表示装置は軽量化や小型化するために、表示ディスプレイとしての単機能に特化した装置として開発されてきた。しかしながら、外出時での使用などの携帯性を考慮すると、頭部装着型表示装置は映像入力装置を別途に用意する必要がある。例えば装着者は頭部装着型表示装置と、映像出力装置と、映像出力装置とを結ぶケーブルと、電源と、コントロ−ラと用意して全てを携帯しなければならなかった。このため、装着者が手軽に頭部装着型表示装置を利用できなかった。
【０００７】
また、交差法、平行法などのステレオ観察方法はステレオカメラ装置で撮影した像を立体視するには万人向けの装置でなかった。このため、携帯電話機やＰＨＳ等の携帯端末器としても使用でき、また頭部装着型表示装置としても利用できる携帯端末器が市場から求められている。
【０００８】
本発明は、片手で通話できるとともに頭部又は顔面に保持することができる携帯端末器を提供する。
【課題を解決するための手段】
【０００９】
この観点の携帯端末器は、第１表示部及び第２表示部が互いに隣り合って配置された第１面を有する本体と、第１表示部と第２表示部との間に本体の外周に形成された鼻当て部と、第１表示部及び第２表示部の表面の第１位置とこの表面から所定距離離れた第２位置との間を移動する光学部と、を備える。
第１表示部及び第２表示部の表面の第１位置とこの表面から所定距離離れた第２位置との間を移動する光学部を備えることで、携帯端末機を操作者の片手で保持して使用する場合とか、携帯端末機を操作者の目の前に配置して使用する場合でも、第１表示部及び第２表示部に映し出される画像を鮮明に確認することができる。
【発明の効果】
【００１０】
本発明によれば、電話機能だけでなく、大画面での映像の視聴、立体感のある映像、仮想空間の表示などが可能となる携帯端末器を提供することができる。
【００１１】
さらに年々、携帯電話は多機能化に加え薄型化及び軽量化するために、頭部装着型にするに十分な重量及び大きさとなってきている。さらに、大型化する表示画面は画角の広い頭部装着型表示装置を形成することが可能となり、携帯電話に新たな付加機能を持たせることが期待されている。
【発明を実施するための最良の形態】
【００１２】
《頭部装着型携帯電話１００の構成》
以下は図面を参照し頭部装着型の携帯電話１００について説明する。
図１（ａ）は頭部装着型携帯電話１００を装着者が装着している斜視図である。図１（ｂ）は頭部装着型の携帯電話１００を第１ヒンジ２２で折り畳んだ状態を示す平面図である。
【００１３】
頭部装着型携帯電話１００は図１（ａ）で示すように２つのほぼ矩形状をした携帯電話本体１０が中心部で折れ曲がり、携帯電話本体１０の中心部には第１ヒンジ２２が設置されることで、外界と接する面が外側になるように折り畳むことができる。第１ヒンジ２２を設置することで、装着者は頭部装着時に開放角度を調節でき、より装着感を向上させることができる。
【００１４】
携帯電話本体１０の側面部にはファンクションキー２３が備えられ、よく利用する機能を登録することや、表示ディスプレイ１１にメニュー画面を表示させることで頭部装着型携帯電話１００の全ての機能を操作することができる。
【００１５】
頭部装着型携帯電話１００は、頭部に保持するための保持機構１３を備えている。保持機構１３には携帯電話本体１０とで保持するテンプル１３ａと、鼻に保持する鼻パッド１３ｂとを備えている。テンプル１３ａは装着者の両耳に掛けることができ、鼻に当たる部分には鼻パッド１３ｂを取り付けて頭部装着型携帯電話１００の落下を防ぎ、且つ弾性素材で形成することで長時間の使用に耐えることができる構造である。
【００１６】
なお、鼻と接触する部分は携帯電話本体１０に切り欠け部（鼻当て部）１２を形成している。図１（ａ）に示すテンプル１３ａは図１（ｂ）に示すように着脱式の保持機構を示している。テンプル１３ａは、折り畳み式又は引き出し式で携帯電話に収納可能な構造であってもよい。鼻パッド１３ｂも同様に引き出し式で収納可能な構造や着脱式であってもよい。折り畳み式及び引き出し式の構造については後述する。
【００１７】
装着者が音声を聴く場合には、イヤホン１９を携帯電話本体１０の側面に設置した差込口に接続することで音声を聞くことができる。図１（ａ）ではイヤホン１９が１箇所のみの表示であるが、ステレオの差込口とすることにより両耳で聞くことができる。なお頭部装着型携帯電話１００はテンプル１３ａに骨伝導装置を内蔵させると、装着者に音声を伝えることができ、イヤホン１９は不要となる。
【００１８】
外界と接する面にはカメラレンズ２０を設置し、右眼に対応するカメラレンズ２０ａ、及び左眼に対応するカメラレンズ２０ｂを有している。カメラレンズ２０ａ及びカメラレンズ２０ｂの２箇所のカメラレンズ２０で同時に外界を撮影することで、ステレオカメラとなる。単に外界の状況を表示及び撮影するには１箇所のカメラレンズ２０であればよく、２箇所のカメラレンズ２０を設置する必要はない。
【００１９】
頭部装着型携帯電話１００は必ずしも図１（ａ）に示すように頭部に装着する必要はなく、テンプル１３ａを取り付けない状態で頭部装着型携帯電話１００を片手で保持しながら電話をかけたりメールを送信したりすることも可能である。また、頭部装着型携帯電話１００を持ち運びする際には図１（ｂ）に示すように頭部装着型携帯電話１００が折り畳まれる。
【００２０】
図２（ａ）はストレート型の頭部装着型携帯電話１００を示す図であり、（ｂ）は頭部装着型携帯電話１００を制御することのできるコントローラ３０を装着者が操作している斜視図である。なお、装着者の手は装置本体が理解し易いよう破線で示している。
【００２１】
図２（ａ）に示す頭部装着型携帯電話１００は、第１ヒンジ２２を有しないストレート型の携帯電話本体１０である。携帯電話本体１０の側面部にファンクションキー２３が備えられ、携帯電話本体１０の中心部に切り欠け部１２を形成している。また、切り欠け部１２には鼻パッド１３ｂが設けられている。鼻パッド１３ｂは弾性素材で形成すれば長時間の使用に耐えることができるが、切り欠け部１２自体に弾性素材を貼り付ければ必ず鼻パッド１３ｂを設ける必要はない。
【００２２】
図２（ｂ）は無線式及び有線式のコントローラ３０である。図１又は図２（ａ）に示したファンクションキー２３は、図２（ｂ）で示すような無線式及び有線式のコントローラ３０を用意してもよい。
【００２３】
例えば図２（ｂ）に示すコントローラ３０は、小型のジョイスティック３１を本体中心付近に配置し、上下左右及び斜め方向に自由に動かすことができる。このジョイスティック３１を上下左右及び斜め方向に動かすことで、表示ディスプレイ１１の中に表示したカーソル及びポインタを操作することができる。また、ジョイスティック３１を親指などで押し込むことでクリックすることができ、操作の確定を行うことができる。装着者は別途コントローラ３０を手にすることで、ポケットに手を入れた状態でも頭部装着型携帯電話１００を操作することができる。さらにコントローラ３０は三次元制御可能なタイプとすることで、より仮想空間を体感することができる。また、本実施形態では、小型のジョイスティック３１を機械式で説明したが、静電容量センサで動かすタイプでも良い。
【００２４】
図３は、図１に示す頭部装着型携帯電話１００を装着者側から見た斜視図である。
図３で示すように、表示ディスプレイ１１は、互いに隣り合って配置された第１表示部１１ａ及び第２表示部１１ｂを有し、右眼の前に第１表示部１１ａが配置され且つ左眼の前に第２表示部１１ｂが配置されるように設置されている。第１表示部１１ａ及び第２表示部１１ｂは例えば矩形形状である。表示ディスプレイ１１と装着者の眼との間には光学部１５を備え装着者の眼の焦点を表示ディスプレイ１１に合わせる役目をしている。
【００２５】
頭部装着時には薄い板状の光学部１５を装着者側に突出することで、第１表示部１１ａ及び第２表示部１１ｂに左右の眼の焦点を合わすことができ、両眼で表示ディスプレイ１１を観察することができる。光学部１５は突出距離を左右別々に調節可能とすることで、眼鏡を必要とする遠視及び近視の装着者においても眼鏡をかける必要がなく表示ディスプレイ１１に焦点を合わすことができる。
【００２６】
光学部１５はフレーム１５Ｆを有し、フレーム１５Ｆ及び連結部１６を介して光学部１５は携帯電話本体１０に接続されている。第１表示部１１ａ及び第２表示部１１ｂと装着者の眼との間に設置する光学部１５は薄い板状の光学部１５は第１表示部１１ａ及び第２表示部１１ｂに密着した第１位置から所定距離離れた第２位置に移動可能である。
【００２７】
頭部装着型携帯電話１００を頭部に装着する場合は、装着者の眼球側に連結部１６を伸展させて第２位置まで突出した状態にすることで光学部１５は装着者の眼が表示ディスプレイ１１に焦点を合わせる。装着者は頭部装着型携帯電話１００を頭部から外してしまうと、突出した光学部１５のレンズ効果のために表示ディスプレイ１１への焦点が合わなくなる。このため、装着者は、可動式の光学部１５を表示ディスプレイ１１に密着させる第１位置に移動させることで、光学部１５のレンズ効果を除去して映像を見ることができる。連結部１６は、Ｘ型の形状をしていて第１表示部１１ａに４箇所、また、第２表示部１１ｂに４箇所が設置されている。連結部の機構については後述する。
【００２８】
鼻パッド１３ｂは、フレーム１５Ｆと鼻とが接触する部位に２箇所設置され、弾性材料で形成されている。鼻パッド１３ｂは、フレーム１５Ｆが装着者側に突出するに従い、顔面側に近づき鼻の上に載せられる。頭部装着型携帯電話１００は、鼻パッド１３ｂの２箇所と、耳のテンプル１３ａの２箇所で頭部に保持されることになる。
【００２９】
表示ディスプレイ１１の第１表示部１１ａ及び第２表示部１１ｂは、それぞれ独立して表示することができ、視差を利用した映像をそれぞれ左右異なるように映し出すことで、立体感のある映像を装着者に与えることができる。また第１表示部１１ａ及び第２表示部１１ｂは同じ画像を表示することもでき、装着者が迫力ある大画面の映像を味わうことができる。
【００３０】
図４は光学部１５を示した図であり、（ａ）はその上面図、（ｂ）は（ａ）のＢ−Ｂ断面図である。
光学部１５は、フレーム１５Ｆで囲まれた内側にレンズ１５Ｌと透明なタッチパネル１５Ｔとを有している。レンズ１５Ｌとタッチパネル１５Ｔとは接着されており一枚の薄板上に形成されている。
【００３１】
薄い板状のレンズ１５Ｌは、例えば薄い凸レンズ、フレネルレンズ又はマイクロアレイレンズなどが用いられる。タッチパネル１５Ｔは、静電容量タッチセンサ、抵抗膜式タッチセンサなどを用いることができる。光学部１５の装着者側の表面にタッチパネル１５Ｔが装備される。頭部装着型携帯電話１００の携帯電話又はメールなどの機能をタッチパネル１５Ｔで操作することができる。タッチパネル１５Ｔの電極は収納時に携帯電話本体１０と接続される形式でもよいし、フィルム上の配線で携帯電話本体１０と常時接続されている形式でも良い。
【００３２】
《可動及び変形方法》
図５は、図３で示した頭部装着型携帯電話１００の連結部１６を上部から見た拡大図である。図５（ａ）は、携帯電話本体１０と光学部１５が所定距離離れた第２位置に移動した状態、つまり頭部装着型携帯電話１００を頭部に装着状態を示している。図５（ｂ）は、携帯電話本体１０と光学部１５が第１位置に移動した状態、つまり頭部装着型携帯電話１００を装着していない状態を示している。
【００３３】
連結部１６は図５に示すように薄い板状体をＸ型に配置し、その中心を中心軸２１で滑らかに可動するように固定されている。連結部１６の端部には光学部１５のフレーム１５Ｆに接続する第１ピン１７ａと、携帯電話本体１０に接続する第２ピン１７ｂを備えている。連結部１６の第１ピン１７ａは光学部１５のフレーム１５Ｆと滑らかに可動するように固定されており、連結部１６の第２ピン１７ｂは可動又は固着した状態で固定されている。
【００３４】
第２ピン１７ｂは携帯電話本体１０に内部又は外部に溝を形成したガイド１８に沿って動き、一段深くなった収納溝に入り込むことで光学部１５が表示ディスプレイ１１に近接又は接する第１位置に移動する。ガイド１８−１とガイド１８−２との内側側の溝部の長さを調整可能にすることで、連結部１６はその伸展度、つまり携帯電話本体１０と光学部１５との距離を調節することができる。これにより視力にバラツキのある装着者にたいして柔軟に対応でき、眼鏡などを外した状態で表示ディスプレイ１１までの焦点を調節することができる。なお、装着者が一度調節した焦点位置は修正しない限り、変更しづらい機構であるとさらに良い。
【００３５】
連結部１６の中心軸２１には、ねじりコイルばね等が装備されている。ねじりコイルばねの弾性力によって、各連結部１６は、それぞれ第１ピン１７ａ同士及び第２ピン１７ｂ同士が近づくように中心軸２１を中心に回動する。これにより、光学部１５は、図５（ａ）に示すように、前記第２位置におかれ、頭部装着型携帯電話１００が頭部装着状態になる。第２ピン１７ｂが携帯電話本体１０のガイド１８の収納溝に入った状態では、不図示の爪及び切れ込みが連結部１６の伸展を抑えていて、装着者が加圧して押し直すことで爪から第２ピン１７ｂがはずれ、連結部１６が伸展する。本実施形態では連結部１６は第１表示部１１ａに４箇所、及び第２表示部１１ｂに４箇所の合計８箇所を設置しているが、強度、大きさを満たせばサイズを変更するなどして４箇所に部品点数を減らすこともできる。また、本実施形態ではＸ型の連結部１６を示したが、パンタグラフ型や、板ばね又はコイルばねを利用した連結部１６であってもよい。
【００３６】
図６（ａ）は頭部装着型携帯電話１００を展開した状態を装着者側から見た図を示している。図６（ｂ）は図６（ａ）を上部から見た図である。図１と異なり、図６に示す頭部装着型携帯電話１００はテンプル１３ａを携帯電話本体１０に収納することができる。
【００３７】
図６（ａ）は頭部装着型携帯電話１００の第１ヒンジ２２部分を最大に広げている状態である。また、頭部装着型携帯電話１００の引き出し式のテンプル１３ａを最大限に展開して略直線状した状態である。第１ヒンジ２２は頭部装着型携帯電話１００を閉じた状態を０度とすると１８０度程度まで可動しているが、頭部装着に適した角度に調節することができる。
【００３８】
引き出し式のテンプル１３ａは伸縮し、テンプル１３ａの先端部には耳掛け部１３ｃが第３ヒンジ２５で接続されている。耳掛け部１３ｃはテンプル１３ａと第３ヒンジ２５で接続され、直角を形成している。引き出し式のテンプル１３ａは装着者が矢印ＡＲ１で示す方向に引き伸ばすことで携帯電話本体１０からテンプル１３ａを取り出し、装着者の耳に適した長さにテンプル１３ａを伸ばすことができる。また、装着者は耳掛け部１３ｃを第３ヒンジ２５の回転部を支点として、矢印ＡＲ２で示す方向に角度を変更することで、装着者の耳の最適角度を調整することができる。
【００３９】
図６（ｂ）に示すように、引き出し式のテンプル１３ａを第２ヒンジ２４部分より矢印ＡＲ３の示す方向に回転させ、装着者側に屈曲させている。装着者はさらに、頭部装着した状態で表示ディスプレイ１１に眼のピントを合わせるために光学部１５を突出させる。鼻に当たる鼻パッド１３ｂは光学部１５のフレーム１５Ｆの切り欠け部１２の近傍に固定される。図６（ｂ）は光学部１５が突出した状態を示し、且つ連結部１６が伸びた状態を示している。光学部１５に接続した鼻パッド１３ｂも光学部１５に追随して装着者側に突出する。なお、第１ヒンジ２２、第２ヒンジ２４、及び第３ヒンジ２５は装着者が装着し易いように適宜角度を変更可能であり、さらに回転部に不図示のノッチを付けることで数段階に角度を変更することで、最適な角度を保持することができる。
【００４０】
以上で示すように、頭部装着状態で利用しようとする装着者は頭部装着型携帯電話１００を自分に適した装着方法と、表示ディスプレイ１１の焦点を合わすことで頭部装着型携帯電話１００を観賞することができる。
【００４１】
次に、頭部装着型携帯電話１００を頭部に装着していない際のテンプル１３ａなどの収納について、図７を用いて説明する。
図７（ａ）は図６（ｂ）で示した頭部装着状態で利用した頭部装着型携帯電話１００を装着者が収納する途中を示した上面図である。図７（ｂ）は頭部から外して片手で持ったりする使用時の頭部装着型携帯電話１００を示した上面図である。図７（ｃ）は頭部装着型携帯電話１００の未使用時及び待ち受け時を示した状態の上面図である。図７（ｄ）は図７（ｃ）の側面図である。
【００４２】
頭部装着型携帯電話１００を頭部から外した装着者は図６で示した矢印ＡＲ３、矢印ＡＲ２及び矢印ＡＲ１の逆方向に動作させることで、図７（ａ）の状態へ頭部装着型携帯電話１００を変形することができる。図７（ａ）の状態になった頭部装着型携帯電話１００は、さらにテンプル１３ａを矢印ＡＲ４方向へ動かすことで、携帯電話本体１０に押し込みテンプル１３ａが携帯電話本体１０の内部に収納される。耳掛け部１３ｃは携帯電話本体１０の側面に密着する形状となる。また、装着者は光学部１５を矢印ＡＲ５方向へ押すことで、光学部１５が携帯電話本体１０に密着することになる。なお光学部１５に接続した鼻パッド１３ｂも光学部１５に追随して携帯電話本体１０に近づく。
【００４３】
図７（ｂ）は片手で頭部装着型携帯電話１００を持つ場合を示して降り、表示ディスプレイ１１は通常の携帯電話と同等の使用状態である。図７（ａ）で変形させたように光学部１５が携帯電話本体１０に密着した状態になり、耳掛け部１３ｃも携帯電話本体１０の側面に密着している。通常使用時は操作の邪魔となる余分な突起物がなく、装着者が違和感なく片手で操作できる。この状態の頭部装着型携帯電話１００は、表示ディスプレイ１１と光学部１５が密着し、光学部１５のレンズ効果が薄れることで、表示ディスプレイ１１を見ることができる。光学部１５の表面には図４で示したタッチパネル１５Ｔが用いられているので頭部装着型携帯電話１００の入力及び制御することができる。例えばメール使用時には第１表示部１１ａにキーボードを表示し、第２表示部１１ｂに文字変換画面を表示させることができる。なお、基本的な電話機能はタッチパネル１５Ｔで電話帳検索及び発信をし、耳掛け部１３ｃに取り付けた不図示のマイク及びスピーカで会話をすることができる。
【００４４】
図７（ｃ）は頭部装着型携帯電話１００の未使用時の折り畳んだ状態を示している。図７（ｃ）で示すように未使用時にはタッチパネル１５Ｔの誤作動や傷及びよごれを防ぐためにタッチパネル１５Ｔを取り付けた光学部１５の表面が折り畳むことで内側に来るのが望ましい。また図７（ｄ）で示すように鼻パッド１３ｂを携帯電話本体１０の切り欠け部１２に密着することで、余分な突起をなくすことができる。
【００４５】
本実施形態の頭部装着型携帯電話１００の外形形状は、必ずしも図６で示すような三角形の切り欠け部１２を持つ必要がなく矩形状の切り欠け部１２であっても良い。
【００４６】
本実施形態の頭部装着型携帯電話１００は、眼鏡形状であるが、スキーのゴーグルのようゴムバンドで保持する形状や、ヘルメット又は帽子に装着可能な形状とすることでもよい。
なお、頭部装着型携帯電話１００と顔面とは装着感を増すために弾性部材を外形の周囲に設置することもできる。外形に弾性部材を設置した頭部装着型携帯電話１００は弾性部材が外光を遮光することができるため、日中の屋外の使用においても表示ディスプレイ１１への外部の映り込みがなく、表示ディスプレイ１１の本来の表示機能を発揮することができる。
【００４７】
《頭部装着型携帯電話１００の利用》
以上に示した頭部装着型携帯電話１００を用いることで、装着者は様々な目的に用いることができる。以下にその具体例を示す。
【００４８】
最近の携帯電話は携帯電話自体が様々な機能を持ち合わせているため、本発明の頭部装着型携帯電話１００は頭部装着可能となることで、さらに新たな使い方が増えることになる。例えば頭部装着型携帯電話１００は映像内容を外部からデータとして頭部装着型携帯電話１００の内部に備えたメモリに記録及び転送することで、記憶容量の許す限りの情報を格納することができる。またワンセグなど地上デジタル放送を受信して表示することもできる。このため、装着者は頭部装着型携帯電話１００のみで様々なコンテンツを大画面で楽しむことができる。
【００４９】
インターネット閲覧においては携帯電話の画面が大きくなる傾向にあるが、ノート型及びデスクトップ型のコンピュータと比べると画面が小さいために扱い易いとは言いがたい。しかし、頭部装着型携帯電話１００を用いることで画面の狭さを感じることなく大きなスクリーンでインターネット閲覧を楽しむことができる。インターネット閲覧の為の操作は前述した有線式及び無線式のコントローラ３０などを用いることで、頭部装着型携帯電話１００を装着したままの操作が可能となる。また、装着者はインターネットを通じて映像情報を取得して閲覧することもできる。
【００５０】
携帯電話のカメラ機能を利用した場合には、図１（ａ）で示したように装着者の両眼の位置に対応した場所にカメラレンズ２０ａ及びカメラレンズ２０ｂを設置することで、頭部装着型携帯電話１００は、装着者が観たままの映像を立体的に記録するステレオカメラ装置となる。このため、弱視、及び色盲などの障害を持つ者にカメラで取った実画像をリアルタイムに画像処理して見やすく加工することもできる。また、他の映像を観察している際にはウィンドウ表示することもできる。
【００５１】
本発明の頭部装着型携帯電話１００は撮影した装置でそのまま観察することができるため、誰が観察しても立体視することができる。また、同じ頭部装着型携帯電話１００をもつ相手に画像を電送することで、撮影者が見たままの画像を相手に伝えることができる。頭部装着型携帯電話１００は、静止画だけでなく動画も相手と通話しながら送ることができる。また、ステレオカメラ装置で動画をデジタル記録した媒体を、頭部装着型携帯電話１００に転送することで、様々なシーンの疑似体験が可能となる。
【００５２】
頭部装着型携帯電話１００は、携帯電話のカメラ機能のズーミングを利用することで画角の広い双眼鏡として利用できる。装着者は、頭部装着型にすることで普通の双眼鏡のように手で持つ必要がなく手ブレを心配する必要がないため、高倍率で目標物を観察し、また記録することもできる。
【００５３】
また、頭部装着型携帯電話１００は、携帯電話のＧＰＳ（Global Positioning System）機能とカメラ機能とを複合的に利用することができる。例えば、頭部装着型携帯電話１００を頭部装着状態でＧＰＳ機能とカメラ機能とを複合的に利用する方法は、カメラ機能で実像を表示ディスプレイ１１に表示させておき、ＧＰＳ機能の位置情報及びコンパス機能より表示ディスプレイ１１に映るビル名、店名、観光地名などの情報を重ね合わせて表示することもできる。
【００５４】
また、携帯電話のナビゲーション機能を用いることで、装着者が目的地を設定しておけば実像の上に、行き先、目標物、及び、距離を重ねて表示することもできるので、手元を見ることなく、また迷うことなく安全に目的地に到達することができる。
以上のように携帯電話を頭部装着型とした頭部装着型携帯電話１００は、従来の携帯電話の機能の価値を向上することが期待できる。
【図面の簡単な説明】
【００５５】
【図１】（ａ）は装着者が頭部装着型携帯電話１００を装着している斜視図である。  （ｂ）は頭部装着型携帯電話１００を折り畳んだ図である。
【図２】（ａ）はストレート型の頭部装着型携帯電話１００を示す図である。  （ｂ）は頭部装着型携帯電話１００を制御することのできるコントローラ３０を装着者が操作している斜視図である。
【図３】頭部装着型携帯電話１００を装着者側から見た斜視図である
【図４】（ａ）は光学部１５の上面図であり、（ｂ）は（ａ）のＢ−Ｂ断面図である。
【図５】（ａ）は、連結部１６が伸展した状態を示した上面図である。  （ｂ）は、連結部１６が収縮した状態を示した上面図である。
【図６】（ａ）は、頭部装着型携帯電話１００を展開した状態を装着者側から見た側面図である。  （ｂ）は、（ａ）を上部から見た上面図である。
【図７】（ａ）は、収納する途中の頭部装着型携帯電話１００を示した上面図である。  （ｂ）は、通常使用時の頭部装着型携帯電話１００を示した上面図である。  （ｃ）は、未使用時及び待ち受け時の頭部装着型携帯電話１００を示した上面図である。
【符号の説明】
【００５６】
１０        携帯電話本体
１１        映像表示装置
１１ａ      第１表示部
１１ｂ      第２表示部
１２        切り欠け部
１３        保持機構
１３ａ      テンプル
１３ｂ      鼻パッド
１３ｃ      耳掛け部
１５        光学部
１６        連結部
１７ａ      第１ピン
１７ｂ      第２ピン
１８        ガイド
１９        イヤホン
２０        カメラレンズ
２０ａ      右眼用カメラレンズ
２０ｂ      左眼用カメラレンズ
２１        中心軸
２２        第１ヒンジ
２３        ファンクションキー
２４        第２ヒンジ
２５        第３ヒンジ
３０        コントローラ
３１        ジョイスティック
１００      頭部装着型携帯電話
【図１】
2009232133.tif 000003
【図２】
2009232133.tif 000004
【図３】
2009232133.tif 000005
【図４】
2009232133.tif 000006
【図５】
2009232133.tif 000007
【図６】
2009232133.tif 000008
【図７】
2009232133.tif 000009